(57)【要約】【課題】  十分な透水性を有し、且つクッション性及び滑り止め性に優れる床敷材及びそれを用いた構造体を提供する。【解決手段】  本床敷材１０は、ゴム片（例えば、使用済みのタイヤを裁断して得られた長尺片等）が接着成分により三次元的に結合されてなる板状の基体部２と、基体部２の裏面の少なくとも一部が露出するように配設され且つ透水性を有する表層部３（例えば、高分子製の合成い草を編んでなる畳表等）と、基体部２と表層部３との間に配設された不織布４と、縁部に糸６により縫着された縁布５と、を備える。本床敷材を用いた構造体は、健康施設又は介護施設の床面（例えば、風呂場の浴室又は脱衣所）と、この床面の全部又は一部に、隣接して敷設された複数の上記床敷材と、を備える。【選択図】      図３
0003107389.tif 000002
【実用新案登録請求の範囲】
【請求項１】
ゴム片が接着成分により三次元的に結合されてなる板状の基体部と、該基体部の裏面の少なくとも一部が露出するように配設され且つ透水性を有する表層部と、を備えることを特徴とする床敷材。
【請求項２】
上記表層部が、高分子製の合成い草を編んでなる畳表からなる請求項１に記載の床敷材。
【請求項３】
上記ゴム片が、使用済みのタイヤを裁断して得られた長尺片である請求項２に記載の床敷材。
【請求項４】
上記基体部の空隙率が２５〜６５％であり、且つ該基体部の厚さが５〜３０ｍｍである請求項３に記載の床敷材。
【請求項５】
上記基体部と上記表層部との間に、不織布を更に備える請求項３又は４に記載の床敷材。
【請求項６】
上記表層部が、（ａ）上記基体部の表面、（ｂ）上記基体部の表面及び側面、又は（ｃ）上記基体部の表面、側面、及び裏面の周縁に配設されている請求項１乃至５のいずれかに記載の床敷材。
【請求項７】
上記表層部に文字及び／又は図柄が表示されている請求項１乃至６のいずれかに記載の床敷材。
【請求項８】
使用済みのタイヤを裁断して得られた長尺片が接着成分により三次元的に結合されてなり、空隙率が２５〜６５％であり且つ厚さが５〜３０ｍｍである板状の基体部と、
（ａ）上記基体部の表面、（ｂ）上記基体部の表面及び側面、若しくは（ｃ）上記基体部の表面、側面、及び裏面の周縁に、縫着及び／又は接着され且つ高分子製の合成い草を編んでなる畳表からなる表層部と、を備えており、上記長尺片の長さが３〜３０ｍｍであり且つ該長尺片の径が０．３〜２ｍｍであることを特徴とする床敷材。
【請求項９】
使用済みのタイヤを裁断して得られた長尺片が接着成分により三次元的に結合されてなり、空隙率が２５〜６５％であり且つ厚さが５〜３０ｍｍである板状の基体部と、
（ａ）上記基体部の表面、（ｂ）上記基体部の表面及び側面、若しくは（ｃ）上記基体部の表面、側面、及び裏面の周縁に、縫着及び／又は接着され且つ高分子製の合成い草を編んでなる畳表からなる表層部と、
該基体部と該表層部との間に配設された不織布と、を備えており、上記長尺片の長さが３〜３０ｍｍであり且つ該長尺片の径が０．３〜２ｍｍであることを特徴とする床敷材。
【請求項１０】
使用済みのタイヤを裁断して得られた長尺片が接着成分により三次元的に結合されてなり、空隙率が２５〜６５％であり且つ厚さが５〜３０ｍｍである板状の基体部と、
（ａ）上記基体部の表面、（ｂ）上記基体部の表面及び側面、又は（ｃ）上記基体部の表面、側面、及び裏面の周縁に配設され且つ高分子製の合成い草を編んでなる畳表からなる表層部と、
本床敷材の縁部に縫着及び／又は接着された縁布と、を備えており、上記長尺片の長さが３〜３０ｍｍであり且つ該長尺片の径が０．３〜２ｍｍであることを特徴とする床敷材。
【請求項１１】
使用済みのタイヤを裁断して得られた長尺片が接着成分により三次元的に結合されてなり、空隙率が２５〜６５％であり且つ厚さが５〜３０ｍｍである板状の基体部と、
（ａ）上記基体部の表面、（ｂ）上記基体部の表面及び側面、又は（ｃ）上記基体部の表面、側面、及び裏面の周縁に配設され且つ高分子製の合成い草を編んでなる畳表からなる表層部と、
該基体部と該表層部との間に配設された不織布と、
本床敷材の縁部に縫着及び／又は接着された縁布と、を備えており、上記長尺片の長さが３〜３０ｍｍであり且つ該長尺片の径が０．３〜２ｍｍであることを特徴とする床敷材。
【請求項１２】
上記表層部に文字及び／又は図柄が表示されている請求項８乃至１１のいずれかに記載の床敷材。
【請求項１３】
健康施設又は介護施設の床面に用いられる請求項１乃至１２のいずれかに記載の床敷材。
【請求項１４】
風呂場の浴室又は脱衣所の床面に用いられる請求項１乃至１３のいずれかに記載の床敷材。
【請求項１５】
健康施設又は介護施設の床面と、
該床面の全部又は一部に、隣接して敷設された複数の請求項１乃至７のいずれかに記載の床敷材と、を備えることを特徴とする床敷材を用いた構造体。
【請求項１６】
健康施設又は介護施設の床面と、
該床面の全部又は一部に、隣接して敷設された複数の請求項８乃至１２のいずれかに記載の床敷材と、を備えることを特徴とする床敷材を用いた構造体。
【請求項１７】
風呂場の浴室の床面と、
該床面の全部又は一部に、隣接して敷設された複数の請求項１乃至７のいずれかに記載の床敷材と、を備えることを特徴とする床敷材を用いた構造体。
【請求項１８】
風呂場の浴室の床面と、
該床面の全部又は一部に、隣接して敷設された複数の請求項８乃至１２のいずれかに記載の床敷材と、を備えることを特徴とする床敷材を用いた構造体。
【請求項１９】
風呂場の脱衣所の床面と、
該床面の全部又は一部に、隣接して敷設された複数の請求項１乃至７のいずれかに記載の床敷材と、を備えることを特徴とする床敷材を用いた構造体。
【請求項２０】
風呂場の脱衣所の床面と、
該床面の全部又は一部に、隣接して敷設された複数の請求項８乃至１２のいずれかに記載の床敷材と、を備えることを特徴とする床敷材を用いた構造体。
【考案の詳細な説明】
【技術分野】
【０００１】
本考案は、床敷材及びそれを用いた構造体に関する。更に詳しくは、十分な透水性を有し、且つクッション性及び滑り止め性に優れる床敷材及びそれを用いた構造体に関する。
【背景技術】
【０００２】
近年、畳の製造コストの低廉化等を意図して、ポリスチレン系樹脂からなる板状発泡体等の硬質の樹脂発泡体、木質系ボード（例えば、ベニア板等）、若しくは、硬質の樹脂発泡体と木質系ボードとの一体品等を用いて畳床を構成したもの等が知られている（例えば、特許文献１参照。）。
しかしながら、このような弾性に乏しい素材を用いて畳床を構成すると、この畳床にへたりを生じ易くなるため、畳の耐久性が低くなると共に畳の使用感が比較的短期間にて低下することになり易い。特に、この種の畳床においては、局部的に荷重が加わると、復元困難な永久歪みを生ずるため、畳としての使用感ばかりか、外観も大きく悪化することになる。
【０００３】
また、近年の高齢化に伴い、老人福祉施設や介護施設等が増えるなか、これらの施設において従来の日本の生活様式、例えば畳のある部屋の活用が積極的に進められている。
しかし、不自由な生活の中では、食事（飲み物）をこぼしたり、尿失禁等で畳を汚すことが多く、清潔な衛生環境を保ち続けることが難しい。そのため、容易に洗浄することが可能な床敷材が求められている。更に、このような施設においては、転倒した際のケガを防止するため、配置場所を問わず、クッション性に優れる床敷材が求められている。
【０００４】
【特許文献１】実開平６−３０３２７号公報
【考案の開示】
【考案が解決しようとする課題】
【０００５】
本考案は、上記実情に鑑みてなされたものであり、十分な透水性を有し、且つクッション性及び滑り止め性に優れる床敷材及びそれを用いた構造体を提供することを目的とする。
【課題を解決するための手段】
【０００６】
本考案は、以下の通りである。
１．ゴム片が接着成分により三次元的に結合されてなる板状の基体部と、該基体部の裏面の少なくとも一部が露出するように配設され且つ透水性を有する表層部と、を備えることを特徴とする床敷材。
２．上記表層部が、高分子製の合成い草を編んでなる畳表からなる上記１に記載の床敷材。
３．上記ゴム片が、使用済みのタイヤを裁断して得られた長尺片である上記２に記載の床敷材。
４．上記基体部の空隙率が２５〜６５％であり、且つ該基体部の厚さが５〜３０ｍｍである上記３に記載の床敷材。
５．上記基体部と上記表層部との間に、不織布を更に備える上記３又は４に記載の床敷材。
６．上記表層部が、（ａ）上記基体部の表面、（ｂ）上記基体部の表面及び側面、又は（ｃ）上記基体部の表面、側面、及び裏面の周縁に配設されている上記１乃至５のいずれかに記載の床敷材。
７．上記表層部に文字及び／又は図柄が表示されている上記１乃至６のいずれかに記載の床敷材。
８．使用済みのタイヤを裁断して得られた長尺片が接着成分により三次元的に結合されてなり、空隙率が２５〜６５％であり且つ厚さが５〜３０ｍｍである板状の基体部と、（ａ）上記基体部の表面、（ｂ）上記基体部の表面及び側面、若しくは（ｃ）上記基体部の表面、側面、及び裏面の周縁に、縫着及び／又は接着され且つ高分子製の合成い草を編んでなる畳表からなる表層部と、を備えており、上記長尺片の長さが３〜３０ｍｍであり且つ該長尺片の径が０．３〜２ｍｍであることを特徴とする床敷材。
９．使用済みのタイヤを裁断して得られた長尺片が接着成分により三次元的に結合されてなり、空隙率が２５〜６５％であり且つ厚さが５〜３０ｍｍである板状の基体部と、（ａ）上記基体部の表面、（ｂ）上記基体部の表面及び側面、若しくは（ｃ）上記基体部の表面、側面、及び裏面の周縁に、縫着及び／又は接着され且つ高分子製の合成い草を編んでなる畳表からなる表層部と、該基体部と該表層部との間に配設された不織布と、を備えており、上記長尺片の長さが３〜３０ｍｍであり且つ該長尺片の径が０．３〜２ｍｍであることを特徴とする床敷材。
１０．使用済みのタイヤを裁断して得られた長尺片が接着成分により三次元的に結合されてなり、空隙率が２５〜６５％であり且つ厚さが５〜３０ｍｍである板状の基体部と、（ａ）上記基体部の表面、（ｂ）上記基体部の表面及び側面、又は（ｃ）上記基体部の表面、側面、及び裏面の周縁に配設され且つ高分子製の合成い草を編んでなる畳表からなる表層部と、本床敷材の縁部に縫着及び／又は接着された縁布と、を備えており、上記長尺片の長さが３〜３０ｍｍであり且つ該長尺片の径が０．３〜２ｍｍであることを特徴とする床敷材。
１１．使用済みのタイヤを裁断して得られた長尺片が接着成分により三次元的に結合されてなり、空隙率が２５〜６５％であり且つ厚さが５〜３０ｍｍである板状の基体部と、（ａ）上記基体部の表面、（ｂ）上記基体部の表面及び側面、又は（ｃ）上記基体部の表面、側面、及び裏面の周縁に配設され且つ高分子製の合成い草を編んでなる畳表からなる表層部と、該基体部と該表層部との間に配設された不織布と、本床敷材の縁部に縫着及び／又は接着された縁布と、を備えており、上記長尺片の長さが３〜３０ｍｍであり且つ該長尺片の径が０．３〜２ｍｍであることを特徴とする床敷材。
１２．上記表層部に文字及び／又は図柄が表示されている上記８乃至１１のいずれかに記載の床敷材。
１３．健康施設又は介護施設の床面に用いられる上記１乃至１２のいずれかに記載の床敷材。
１４．風呂場の浴室又は脱衣所の床面に用いられる上記１乃至１３のいずれかに記載の床敷材。
１５．健康施設又は介護施設の床面と、該床面の全部又は一部に、隣接して敷設された複数の上記１乃至７のいずれかに記載の床敷材と、を備えることを特徴とする床敷材を用いた構造体。
１６．健康施設又は介護施設の床面と、該床面の全部又は一部に、隣接して敷設された複数の上記８乃至１２のいずれかに記載の床敷材と、を備えることを特徴とする床敷材を用いた構造体。
１７．風呂場の浴室の床面と、該床面の全部又は一部に、隣接して敷設された複数の上記１乃至７のいずれかに記載の床敷材と、を備えることを特徴とする床敷材を用いた構造体。
１８．風呂場の浴室の床面と、該床面の全部又は一部に、隣接して敷設された複数の上記８乃至１２のいずれかに記載の床敷材と、を備えることを特徴とする床敷材を用いた構造体。
１９．風呂場の脱衣所の床面と、該床面の全部又は一部に、隣接して敷設された複数の上記１乃至７のいずれかに記載の床敷材と、を備えることを特徴とする床敷材を用いた構造体。
２０．風呂場の脱衣所の床面と、該床面の全部又は一部に、隣接して敷設された複数の上記８乃至１２のいずれかに記載の床敷材と、を備えることを特徴とする床敷材を用いた構造体。
【考案の効果】
【０００７】
本考案の床敷材は、十分な透水性を有し、且つクッション性及び滑り止め性に優れるため、従来の畳とは異なり、一般的な室内や廊下等の床面以外にも、直接水やお湯の掛かる浴室の床面や、間接的に水と接触する脱衣所の床面等に敷設して使用することができる。この際、滑り止め性に優れる基体部が、床材の裏面で露出しているため床敷材がずれることがなく、且つクッション性にも優れるため、この床敷材上で人間が転倒しても衝撃が低減されて安全である。また、この床敷材は容易に持ち運ぶことができ、汚れても洗浄して繰り返し利用することができる。従って、この床敷材は、健康施設（例えば、旅館、温泉、健康ランド、銭湯等）又は介護施設（例えば、老人ホーム、病院、保育園、幼稚園等）の床面に好適に用いられる。更には、風呂場の浴室又は脱衣所の床面に好適に用いられる。
また、上記表層部に高分子製の合成い草を編んでなる畳表を用いた場合、畳の風合いを備え、且つ丸洗い可能な床敷材となる。従って、従来の畳を使用している和風の建築物等の床面に好適に用いることができる。
更に、上記ゴムに使用済みのタイヤを裁断して得られた長尺片を用いた場合、隣り合う長尺片が絡み合い易く、基体部の強度をより向上させることができ、耐久性に優れる床敷材となる。更には、低コストにて基体部を得ることができる。
また、上記基体部の厚さ及び空隙率を特定の範囲とした場合には、十分な透水性を有し、且つクッション性及び滑り止め性により優れる床敷材となる。
更に、上記基体部と上記表層部との間に、不織布を介在させた場合には、基体部と表層部との固着強度をより向上させることができる。
また、上記表層部を特定の場所に配設した場合、基体部の裏面が十分に露出するため、滑り止め性により優れる床敷材となる。
本考案の他の床敷材は、使用済みのタイヤを裁断して得られた特定の寸法の長尺片を用いてなり、且つ特定の空隙率及び厚みを有する基体部、及び特定の表層部を備えており、十分な透水性を有し、且つクッション性及び滑り止め性により優れる。
不織布を更に備える、本考案の他の床敷材は、基体部と表層部とがより強固に固着されており、十分な透水性を有し、且つクッション性及び滑り止め性により優れる。
本考案の更に他の床敷材は、使用済みのタイヤを裁断して得られた特定の寸法の長尺片を用いてなり、且つ特定の空隙率及び厚みを有する基体部、特定の表層部及び縁布を備えており、十分な透水性を有し、且つクッション性及び滑り止め性により優れる。
不織布を更に備える、本考案の更に他の床敷材は、基体部と表層部とがより強固に固着されており、十分な透水性を有し、且つクッション性及び滑り止め性により優れる。
また、本考案における各床敷材の上記表層部に文字及び／又は図柄を表示させた場合には、建物内の案内表示をすることなどが可能となる。また、使用の際に、違った雰囲気を楽しんだり、生活にゆとりや豊かさを与える効果が得られる。
本考案の床敷材を用いた各構造体は、特定の床面に、複数の上記床敷材を隣接して敷設して構成されるため、床面の面積に関わらず、十分な透水性を有し、且つクッション性及び滑り止め性に優れる構造体となる。また、上記床敷材は所望の形状とすることができるため、床面の形状に応じて、床面の全体又は一部を床敷材で容易に敷き詰めることができる。
また、各構造体において、特定の床敷材を備える場合には、十分な透水性を有し、且つクッション性及び滑り止め性により優れる構造体とすることができる。
【考案を実施するための最良の形態】
【０００８】
以下、本考案を詳細に説明する。
［１］床敷材
本考案の床敷材は、ゴム片が接着成分により三次元的に結合されてなる板状の基体部と、基体部の裏面の少なくとも一部が露出するように配設され且つ透水性を有する表層部と、を備えることを特徴とする（例えば、図１参照）。
【０００９】
上記「基体部」は、図２に示すように、ゴム片２１が接着成分により三次元的に結合されてなり、クッション性に優れるものである。また、この基体部２には空隙があるため、十分な透水性を有している。
【００１０】
上記「ゴム片」の材質は特に限定されず、例えば、スチレン−ブダジエンゴム、アクリロニトリル−ブタジエンゴム、クロロプレンゴム、エチレン−プロピレンゴム、エチレン−プロピレン−ジエンゴム等の合成ゴムのゴム片、及び天然ゴムのゴム片などが挙げられる。また、本考案においては、このゴム片として、使用済みのタイヤ（廃タイヤを含む）や、各種ゴム成形品の製造過程で生じる廃材を、裁断して得られた断片を使用することができる。特に、使用済みのタイヤを裁断して得られた長尺片を用いることが好ましい。この場合、隣り合う長尺片が絡み合い易く、基体部の強度を向上させることができる。更には、低コストにて基体部を得ることができる。
【００１１】
上記ゴム片の形状は特に限定されず、例えば、柱状形状（横断面の形状は、円形、楕円形、正方形、長方形、平行四辺形、台形等のいずれであってもよい。）等の長尺片が挙げられる。また、このゴム片の形状は、粒状体、紐状体等の形状であってもよい。これらのなかでも、長尺片であることが好ましい。この場合、隣り合うゴム片が絡み合い易く、基体部の強度を向上させることができる。尚、上記長尺片は、長さ方向における横断面の形状、寸法が略一定であってもよく、変化していてもよい。また、長さ方向の一方又は両方の端部側において徐々に細くなっている形状、又は、長さ方向の一方又は両方の先端部が丸くなっている形状であってもよい（例えば、海草の「ひじき」のような形状等）。更に、この長尺片は、直線状であってもよいし、湾曲していてもよい。
また、上記ゴム片は、同一形状のもののみを使用してもよいし、異なる形状のものを併用してもよい。
【００１２】
上記ゴム片の寸法は特に限定されないが、このゴム片が長尺片である場合、その長さは３〜３０ｍｍであることが好ましく、より好ましくは３〜２０ｍｍ、更に好ましくは３〜１５ｍｍである。また、その径は０．３〜２ｍｍであることが好ましく、より好ましくは０．５〜２ｍｍ、更に好ましくは０．５〜１．５ｍｍである。特に、この長尺片の長さが径の２〜１０倍であることが好ましく、より好ましくは２〜５倍である。このような寸法の形状であれば、長尺片間が絡み合い易く、基体部の強度が向上する。
【００１３】
上記「接着成分」は、接着剤に含有され、ゴム片間を三次元的に接合する成分であり、この接着成分としては、各種の樹脂やゴムが挙げられる。
上記接着剤としては、ゴム片の材質等によって適宜選択することが好ましい。例えば、前記の各種のゴムを有機溶剤に溶解してなる接着剤、又はエマルジョン系の接着剤等が挙げられる。また、一液型ウレタン系接着剤、ビニルピリジンゴムを含有する接着剤などを用いることもできる。これらのうち、粘度、硬化時間等の調整が容易であり、使用時の作業性に優れるため、一液型ウレタン系接着剤が好ましい。
【００１４】
この一液型ウレタン系接着剤としては、湿気硬化型ウレタン接着剤が用いられることが多い。この湿気硬化型ウレタン接着剤は、一般に、ポリオール類に過剰のポリイソシアネートを反応させて得られ、分子末端にイソシアネート基を有するプレポリマーを含有する。上記ポリオール類としては、ポリエーテルポリオールがコスト及び作業性の両面から好ましい。また、上記ポリイソシアネートとしてはジフェニルメタンジイソシアネートが、コスト及び作業性の両面から好ましい。
【００１５】
上記基体部の形状は板状であるが、その平面形状は特に限定されず、所望の形状に適宜調整することができる。この平面形状としては、例えば、三角形、四角形（正方形、長方形、平行四辺形、台形等のいずれでもよい。）などの多角形、円形、楕円形、星形等が挙げられる。
【００１６】
上記基体部の厚さは特に限定されないが、５〜３０ｍｍであることが好ましく、より好ましくは５〜２０ｍｍ、更に好ましくは５〜１５ｍｍである。この基体部の厚さが５〜３０ｍｍである場合、十分なクッション性及び強度を有する基体部となるため好ましい。
【００１７】
また、上記基体部においては、ゴム片の周囲に接着成分からなる皮膜が形成されており、且つこの接着成分によりゴム片は三次元的に結合され、皮膜が形成されたゴム片の間には空隙が形成されている。この基体部の空隙率は、十分な透水性が得られる限り特に限定されないが、２５〜６５％であることが好ましく、より好ましくは３０〜６０％、更に好ましくは３５〜５５％である。この基体部の空隙率が２５〜６５％である場合、クッション性及び耐久性に優れ且つ十分な透水性を有する基体部となるため好ましい。尚、この空隙率は、実施例と同様の方法により測定することができる。
【００１８】
上記基体部を形成する方法は特に限定されないが、例えば、ゴム片と接着剤とを攪拌、混合して得られた混合物を、所定形状の金型等の成形型に流し込み、乾燥させた後、脱型することで、基体部を形成することができる。
また、上記接着剤の配合量は特に限定されないが、ゴム片を１００質量部とした場合に、接着成分が１５〜４０質量部であることが好ましく、より好ましくは２０〜３０質量部である。この接着成分が１５〜４０質量部である場合、ゴム片と接着剤との攪拌、混合時の作業性に優れ、均一な厚さの基体部を容易に形成することができる。
【００１９】
上記「表層部」の構成は、透水性を有している限り特に限定されない。この表層部としては、例えば、高分子製の繊維を編んでなるシート（編み方は特に限定されない）等が好ましく用いられる。具体的には、高分子製の合成い草を編んでなる畳表が好ましい。この場合、十分な透水性を得ることができる。
また、上記高分子の種類は特に限定されないが、例えば、ポリプロピレン、ポリエチレン及びポリアミド（例えば、６ナイロン、６６ナイロン、６１０ナイロン、６１２ナイロン等）などが挙げられる。これらのなかでも、ポリプロピレンが好ましい。この場合、表層部が疎水性となるため、水切れがよく、飲み物をこぼしたり、尿失禁等により床敷材を汚しても、容易に洗浄することができ、短時間で乾燥させることができる。
【００２０】
また、上記表層部の形状及び寸法は特に限定されず、前記基体部の形状及び寸法に合わせて、適宜調整される。
【００２１】
上記表層部は、前記基体部の裏面の少なくとも一部が露出するように形成される。このように、本考案の床敷材では、基体部の裏面の少なくとも一部が露出されているため、この床敷材を所定の場所に敷設した際、露出部が滑り止め部として機能し、敷設位置からずれることが抑制される。特に、この表層部は、（ａ）上記基体部の表面（例えば、図３参照）、（ｂ）上記基体部の表面及び側面（例えば、図４参照）、又は（ｃ）上記基体部の表面、側面、及び裏面の周縁（例えば、図５参照）に配設されることが好ましく、より好ましくは（ａ）又は（ｂ）の態様であり、更に好ましくは（ａ）の態様である。表層部が、上記（ａ）、（ｂ）又は（ｃ）のように配設される場合、基体部の裏面を十分に露出させることができるため、十分な滑り止め効果が得られる。
【００２２】
また、上記表層部の表面には、文字及び／又は図柄を表示させることができる。これらの文字及び図柄は、モノクロであってもよいし、カラーであってもよい。上記文字としては、平仮名、片仮名、漢字、アルファベット、記号等が挙げられる。これによって、建物内の案内表示をすることなどが可能となる。具体的には、「男湯」、「女湯」、「脱衣所」等の表示が挙げられる。上記図柄としては、例えば、動物や花等のイラスト、風景画、アート絵画等が挙げられる。上記動物としては、犬、猫、鳥等が挙げられる。上記花としては、チューリップ、ばら、ひまわり等が挙げられる。これによって、使用の際に、違った雰囲気を楽しんだり、生活にゆとりや豊かさを与える効果が期待される。
上記表層部に文字及び／又は図柄を表示させる方法は、特に限定されないが、例えば、表層部の配設前に、上記文字や図柄等が得られるように高分子製の繊維（合成い草等）を予め部分的に着色しておき、所定の位置に編み込む方法や、無地の状態の表層部の表面に直接印刷する方法等が挙げられる。
【００２３】
上記表層部と上記基体部とは、縫着及び／又は接着により固定することができる。この接着に用いられる接着剤は特に限定されず、一般的な種類の接着剤を用いることができ、表層部及び基体部の各材質等によって適宜選択できる。例えば、各種の樹脂やゴム等の接着成分を含むエマルジョン系の接着剤等が挙げられる。
また、表層部と基体部との固着強度を向上させるため、この表層部と基体部との間に、不織布を更に備える形態とすることもできる。
【００２４】
更に、上記表層部において、高分子製の合成い草を編んでなる畳表などを用いた場合には、本床敷材の縁部に、縁布を糸により縫着及び／又は接着剤により接着した形態とすることもできる。具体的には、例えば、図３〜５に示すように、表層部３及び基体部２の各縁部を挟持するように、縁布５を糸６で縫着した形態とすることができる。尚、縁布を配設する場合には、表層部と基体部とを縫着及び／又は接着により固定してもよいし、しなくてもよい。
この「縁布」は特に限定されず、一般的な畳の製造に用いられているもの（例えば、長尺状の織布等）を用いることができる。
【００２５】
また、本考案の他の床敷材は、使用済みのタイヤを裁断して得られた長尺片が接着成分により三次元的に結合されてなり、空隙率が２５〜６５％（特に３０〜６０％、更には３５〜５５％）であり且つ厚さが５〜３０ｍｍ（特に５〜２０ｍｍ、更には５〜１５ｍｍ）である板状の基体部と、（ａ）上記基体部の表面、（ｂ）上記基体部の表面及び側面、若しくは（ｃ）上記基体部の表面、側面、及び裏面の周縁に、縫着及び／又は接着され且つ高分子製の合成い草を編んでなる畳表からなる表層部と、を備えており、上記長尺片の長さが３〜３０ｍｍ（特に３〜２０ｍｍ、更には３〜１５ｍｍ）であり且つ径が０．３〜２ｍｍ（特に０．５〜２ｍｍ、更には０．５〜１．５ｍｍ）である床敷材（以下、「床敷材ａ」ともいう。）とすることができる。
更に、本考案の他の床敷材は、使用済みのタイヤを裁断して得られた長尺片が接着成分により三次元的に結合されてなり、空隙率が２５〜６５％（特に３０〜６０％、更には３５〜５５％）であり且つ厚さが５〜３０ｍｍ（特に５〜２０ｍｍ、更には５〜１５ｍｍ）である板状の基体部と、（ａ）上記基体部の表面、（ｂ）上記基体部の表面及び側面、若しくは（ｃ）上記基体部の表面、側面、及び裏面の周縁に、縫着及び／又は接着され且つ高分子製の合成い草を編んでなる畳表からなる表層部と、基体部と表層部との間に配設された不織布と、を備えており、上記長尺片の長さが３〜３０ｍｍ（特に３〜２０ｍｍ、更には３〜１５ｍｍ）であり且つ径が０．３〜２ｍｍ（特に０．５〜２ｍｍ、更には０．５〜１．５ｍｍ）である床敷材（以下、「床敷材ｂ」ともいう。）とすることができる。
【００２６】
本考案の他の各床敷材では、上記表層部は、（ａ）上記基体部の表面、（ｂ）上記基体部の表面及び側面、若しくは（ｃ）上記基体部の表面、側面、及び裏面の周縁に、縫着及び／又は接着される。これらのなかでも、（ｃ）上記基体部の表面、側面、及び裏面の周縁に固定されることが好ましい。この場合、表層部がより強固に固定される。尚、表層部が、側面や、裏面の周縁に配設される場合、床敷材の全部の側面、又は裏面の全周縁に配設される必要はなく、部分的に配設してもよい。
また、この表層部は、縫着及び／又は接着により固定されるが、縫着のみであっても、接着のみであっても十分強固に固定することができる。この接着に用いられる接着剤は特に限定されず、一般的な種類の接着剤を用いることができ、表層部及び基体部の各材質等によって適宜選択できる。例えば、各種の樹脂やゴム等の接着成分を含むエマルジョン系の接着剤等が挙げられる。
【００２７】
また、本考案の更に他の床敷材は、使用済みのタイヤを裁断して得られた長尺片が接着成分により三次元的に結合されてなり、空隙率が２５〜６５％（特に３０〜６０％、更には３５〜５５％）であり且つ厚さが５〜３０ｍｍ（特に５〜２０ｍｍ、更には５〜１５ｍｍ）である板状の基体部と、（ａ）上記基体部の表面、（ｂ）上記基体部の表面及び側面、又は（ｃ）上記基体部の表面、側面、及び裏面の周縁に配設され且つ高分子製の合成い草を編んでなる畳表からなる表層部と、本床敷材の縁部に縫着及び／又は接着された縁布と、を備えており、上記長尺片の長さが３〜３０ｍｍ（特に３〜２０ｍｍ、更には３〜１５ｍｍ）であり且つ径が０．３〜２ｍｍ（特に０．５〜２ｍｍ、更には０．５〜１．５ｍｍ）である床敷材（以下、「床敷材ｃ」ともいう。）とすることができる。
更に、本考案の更に他の床敷材は、使用済みのタイヤを裁断して得られた長尺片が接着成分により三次元的に結合されてなり、空隙率が２５〜６５％（特に３０〜６０％、更には３５〜５５％）であり且つ厚さが５〜３０ｍｍ（特に５〜２０ｍｍ、更には５〜１５ｍｍ）である板状の基体部と、（ａ）上記基体部の表面、（ｂ）上記基体部の表面及び側面、又は（ｃ）上記基体部の表面、側面、及び裏面の周縁に配設され且つ高分子製の合成い草を編んでなる畳表からなる表層部と、基体部と表層部との間に配設された不織布と、本床敷材の縁部に縫着及び／又は接着された縁布と、を備えており、上記長尺片の長さが３〜３０ｍｍ（特に３〜２０ｍｍ、更には３〜１５ｍｍ）であり且つ径が０．３〜２ｍｍ（特に０．５〜２ｍｍ、更には０．５〜１．５ｍｍ）である床敷材（以下、「床敷材ｄ」ともいう。）とすることができる。
【００２８】
本考案の更に他の各床敷材では、上記表層部は、（ａ）上記基体部の表面、（ｂ）上記基体部の表面及び側面、若しくは（ｃ）上記基体部の表面、側面、及び裏面の周縁に形成され、床敷材の縁部に縫着及び／又は接着された縁布により固定されている。尚、表層部が、側面や、裏面の周縁に配設される場合、床敷材の全部の側面、又は裏面の全周縁に配設される必要はなく、部分的に配設してもよい。また、固定強度を向上させるために、基体部と表層部とを縫着及び／又は接着により固定することもできる。
また、上記縁布は、縫着及び／又は接着により固定されるが、縫着のみであっても、接着のみであっても十分強固に固定することができる。
上記各接着に用いられる接着剤は特に限定されず、一般的な種類の接着剤を用いることができ、表層部及び基体部の各材質等によって適宜選択できる。例えば、各種の樹脂やゴム等の接着成分を含むエマルジョン系の接着剤等が挙げられる。
【００２９】
更に、上記床敷材ａ、床敷材ｂ、床敷材ｃ及び床敷材ｄの各表層部の表面には、文字及び／又は図柄を表示させることができる。この「文字」及び「図柄」については、前記の各説明をそのまま適用することができる。
【００３０】
本考案における床敷材の平面形状及び寸法は特に限定されず、所望の形状及び寸法にそれぞれ適宜調整することができる。平面形状としては、例えば、三角形、四角形（正方形、長方形、平行四辺形、台形等のいずれでもよい。）などの多角形、円形、楕円形、星形等が挙げられる。
【００３１】
また、本考案における床敷材の敷設場所は特に限定されず、屋内に敷設してもよいし、屋外に敷設してもよい。特に、本考案の床敷材は、十分な透水性を有し、且つクッション性及び滑り止め性に優れるため、健康施設又は介護施設の床面に用いられるものとすることができる。更には、風呂場、サウナ、廊下、部屋等の床面に用いられるものとすることができる。なかでも、本考案の床敷材は、風呂場の浴室又は脱衣所の床面に用いられるものとすることができる。特に、風呂場の浴室等に敷設した場合には、誤って転倒した場合においても、クッション性に優れた床敷材により衝撃が緩和されるため、ケガを防止することができる。
尚、上記「健康施設」としては、例えば、旅館、健康ランド、温泉、銭湯等が挙げられる。また、上記「介護施設（福祉施設を含む）」としては、例えば、病院、老人ホーム、保育園、幼稚園等が挙げられる。
【００３２】
［２］床敷材を用いた構造体
本考案の床敷材を用いた構造体は、健康施設又は介護施設の床面と、この床面の全部又は一部に、隣接して敷設された複数の前記床敷材と、を備えることを特徴とする。特に、この床敷材は、前述の床敷材ａ、床敷材ｂ、床敷材ｃ及び床敷材ｄのうちの少なくとも１種とすることができる。
また、本考案の他の床敷材を用いた構造体は、風呂場の浴室の床面と、この床面の全部又は一部に、隣接して敷設された複数の前記床敷材と、を備えることを特徴とする（例えば、図６参照）。特に、この床敷材は、前述の床敷材ａ、床敷材ｂ、床敷材ｃ及び床敷材ｄのうちの少なくとも１種とすることができる。
更に、本考案の更に他の床敷材を用いた構造体は、風呂場の脱衣所の床面と、この床面の全部又は一部に、隣接して敷設された複数の前記床敷材と、を備えることを特徴とする。特に、この床敷材は、前述の床敷材ａ、床敷材ｂ、床敷材ｃ及び床敷材ｄのうちの少なくとも１種とすることができる。
【００３３】
上記「健康施設」、上記「介護施設」、上記「床敷材」、上記「床敷材ａ」、上記「床敷材ｂ」、上記「床敷材ｃ」及び上記「床敷材ｄ」については、前記の各説明をそのまま適用することができる。
また、上記床敷材は、所望の形状とすることができ、同一形状のもののみを用いてもよいし、異なる形状のものを組み合わせて用いてもよい。そのため、各床面の面積及び形状に応じて、容易に、隙間無く隣接させて敷設することができる。
更に、上記床敷材ａ、床敷材ｂ、床敷材ｃ及び床敷材ｄの各表層部の表面には、文字及び／又は図柄を表示させることができる。この「文字」及び「図柄」については、前記の各説明をそのまま適用することができる。
【００３４】
本考案の床敷材を用いた各構造体では、上記各床面に、複数の上記床敷材が隙間無く隣接するように敷設されているため、十分な透水性を有し、且つクッション性及び滑り止め性に優れる構造体となる。そのため、この構造体上で人間が転倒しても衝撃が低減されて安全である。また、食事（飲み物）をこぼしたり、尿失禁等で床敷材を汚してしまった場合においても、構造体から床敷材を取り外し、丸洗い等により容易に洗浄することができ、清潔な衛生環境を保ち続けることができる。
【実施例】
【００３５】
以下、本考案を実施例により図面を用いて詳細に説明する。
［１］床敷材（実施例１）
図３は、本考案の床敷材の一例の断面を模式的に示す図である。
この床敷材１０は、ゴム片が接着成分により三次元的に結合されてなる板状の基体部２と、基体部２の裏面の少なくとも一部が露出するように配設された表層部３と、基体部２と表層部３との間に配設された不織布４と、縁部に縫着された縁布５と、を備える。
【００３６】
基体部２は、板状であり、且つ使用済みのタイヤを裁断して得られた長尺片が接着成分により三次元的に結合されてなるものである。
表層部３は、透水性を有し、且つ高分子（ポリプロピレン）製の合成い草を編んでなる畳表からなる。また、この表層部３は、上記基体部２の表面に形成されている。
不織布４は、上記基体部２と表層部３との間に配設されており、接着剤により固着されている。
縁布５は、上記基体部２と表層部３の各縁部（対向する２辺の周縁）を挟持するように、糸６により縫着されている。
【００３７】
［２］床敷材の製造方法
上記［１］で説明した本考案の床敷材の一例の製造方法を以下に説明する。
（１）基体部２の形成
容量２００リットルの攪拌翼を備えたミキサー中に、使用済みタイヤを裁断して得られた長尺片［形状：長さ方向の一方又は両方の端部側が徐々に細くなっている、長さ：約３〜１５ｍｍ、径：約０．５〜１．５ｍｍ］と、一液型ウレタン系接着剤（タケダ社製、商品名「タケダ  ユーフレクス  Ｆ１３９」）と、を投入し、常温で１０分間攪拌し、混合した。尚、ゴム片を１００質量部とした場合に、一液型ウレタン系接着剤の使用量は２０質量部とした。
その後、得られた混合物を金型に流し込み、接着剤を硬化させた後、脱型し、縦５００ｍｍ、横幅５００ｍｍ、厚さ１０ｍｍの基体部２を得た。尚、得られた基体部２の空隙率は５８％であった。尚、この空隙率は、比重を基にした一般的な方法により求めた。
【００３８】
（２）表層部の形成
上記（１）で得られた基体部２の表面に、不織布４を介在させて、表層部（ポリプロピレン製い草を編んでなる畳表）３を、接着剤（コニシ社製）を用いて固着した。その後、対向する２辺の周縁に縁布５を配置した後に、この縁布５を糸６を用いて縫着し、床敷材１０（縦５００ｍｍ、横幅５００ｍｍ、厚さ１２ｍｍ）を得た。
【００３９】
［３］床敷材を用いた構造体（実施例２）
図６は、本考案の床敷材を用いた構造体の一例を模式的に示す図である。
この床敷材を用いた構造体１００は、浴槽７及びシャワー８を備える風呂場の浴室の床面と、この床面の全部（浴槽７を除く部分）に敷設された複数の床敷材１０’と、を備えている。
床敷材１０’は、上記［１］で説明した床敷材１０と同様の構成であり、上記床面には、１２枚の床敷材１０’が隙間無く隣接するように敷設されている。
【００４０】
［４］考案の効果
以上のように、本実施例１の床敷材は、使用済みのタイヤを裁断して得られた長尺片が接着成分により三次元的に結合されてなる板状の基体部と、透水性を有し且つ高分子（ポリプロピレン）製の合成い草を編んでなる畳表よりなる表層部と、を備えているため、十分な透水性を有し、且つクッション性及び滑り止め性に優れる。そのため、従来の畳とは異なり、一般的な部屋や廊下等に限らず、直接水やお湯の掛かる浴室や、間接的に水と接触する脱衣所等においても使用することができる。この際、優れた滑り止め性を有する基体部が、床材の裏面において露出しているため床敷材がずれることがなく、且つクッション性にも優れるため、床敷材上で人間が転倒しても衝撃が低減されて安全である。また、この実施例１の床敷材は、容易に持ち運ぶことができ、汚れても洗浄して繰り返し利用することができる。従って、健康施設（例えば、旅館、温泉、健康ランド、銭湯等）又は介護施設（例えば、老人ホーム、病院、保育園、幼稚園等）の床面に好適に用いることができる。更には、風呂場の浴室又は脱衣所の床面に好適に用いることができる。
また、上記表層部には、高分子製の合成い草を編んでなる畳表が用いられており、従来の畳の風合いを備えていながら、丸洗いすることができる。従って、従来の畳を使用している和風の建築物等の床面に好適に用いることができる。
更に、上記ゴムには、使用済みのタイヤを裁断して得られた長尺片が用いられており、耐久性に優れる床敷材となっており、この床敷材を低コストで形成できる。
また、上記基体部と上記表層部との間には、不織布が介在しており、基体部と表層部とが強固に固着されている。
【００４１】
また、本実施例２の床敷材を用いた構造体では、浴槽が配置された床面を除く浴室の床面の全部に、複数の上記床敷材が隙間無く隣接するように敷設されているため、十分な透水性を有し、且つクッション性及び滑り止め性に優れる構造体となる。そのため、この構造体上で人間が転倒しても衝撃が低減されて安全であり、健康施設又は介護施設の浴室の床面等に好適に用いることができる。
また、上記床敷材は所望の形状とすることができ、同一形状のもののみを用いて構造体を形成することもできるし、異なる形状のものを組み合わせて構造体を形成することもできる。そのため、床面の面積及び形状に応じて、床敷材が隙間無く隣接して敷設された構造体とすることができる。
【００４２】
尚、本考案においては、上記の具体的な実施例に示すものに限られず、目的、用途に応じて本考案の範囲内で種々変更した実施例とすることができる。例えば、図７に示すように、実施例１の床敷材における縁布５を備えていない形態とすることもできる。尚、図７では、基体部２の表面、側面及び裏面の周縁に表層部３が形成されているが、基体部２の表面のみ、又は、基体部２の表面及び側面に表層部３が形成された形態とすることもできる。
【図面の簡単な説明】
【００４３】
【図１】本考案の床敷材の断面を模式的に示す図である。
【図２】基体部の構成を説明する説明図である。
【図３】本考案の床敷材の一例の断面を模式的に示す図である。
【図４】本考案の床敷材の他例の断面を模式的に示す図である。
【図５】本考案の床敷材の他例の断面を模式的に示す図である。
【図６】本考案の床敷材を用いた構造体の一例を模式的に示す図である。
【図７】本考案の床敷材の他例の断面を模式的に示す図である。
【符号の説明】
【００４４】
１、１０、１０’、１１、１２、１３；床敷材、１００；床敷材を用いた構造体、２；基体部、２１；ゴム片、３；表層部、４；不織布、５；縁布、６；糸、７；浴槽、８；シャワー。
【図１】
0003107389.tif 000003
【図２】
0003107389.tif 000004
【図３】
0003107389.tif 000005
【図４】
0003107389.tif 000006
【図５】
0003107389.tif 000007
【図６】
0003107389.tif 000008
【図７】
0003107389.tif 000009